(57)【特許請求の範囲】
【請求項１】
ランプに取り付けられるランプ用口金において、
口金本体と、
前記口金本体の一端面から突出する電極端子と、
前記口金本体の前記電極端子と同一端面から前記電極端子より長く突出するアース端子と、
前記口金本体の側壁に設けられ、特定のランプソケット以外への前記電極端子の電気接続を防止するために、前記特定のランプソケットに設けられた凸部又は凹部に対応する形状、かつ、前記ランプに入力される電流の上限値と電圧の下限値との少なくともいずれかに応じて定められた形状を有するガード部と
を備えることを特徴とするランプ用口金。
【請求項２】
ランプに取り付けられるランプ用口金において、
口金本体と、
前記口金本体の一端面から突出する電極端子と、
前記口金本体の前記電極端子と同一端面から突出する２つのアース端子と、
前記口金本体の側壁に設けられ、特定のランプソケット以外への前記電極端子の電気接続を防止するために、前記特定のランプソケットに設けられた凸部又は凹部に対応する形状、かつ、前記ランプに入力される電流の上限値と電圧の下限値との少なくともいずれかに応じて定められた形状を有するガード部と
を備え、
前記電極端子は、前記アース端子の間に配置されることを特徴とするランプ用口金。
【請求項３】
前記ガード部は、前記特定のランプソケットに設けられた凸部に対応する形状を有し、前記ランプに入力される電流の上限値が高いほど、又は、前記ランプに入力される電流の下限値が低いほど、長さが長いスリットであることを特徴とする請求項１又は２のランプ用口金。
【請求項４】
前記ガード部は、前記特定のランプソケットに設けられた凸部に対応する形状を有し、前記ランプに入力される電流の上限値が高いほど、又は、前記ランプに入力される電流の下限値が低いほど、幅が広いスリットであることを特徴とする請求項１又は２のランプ用口金。
【請求項５】
口金本体と、
前記口金本体の一端面から突出する電極端子と、
前記口金本体の前記電極端子と同一端面から突出する２つのアース端子と
を備え、
前記電極端子は、前記アース端子の間に配置され、
前記電極端子と前記アース端子とは、略一直線上に配置されることを特徴とするランプ用口金。
【請求項６】
前記アース端子は、前記電極端子と略同じ太さの軸部と、当該軸部の先端に設けられ、当該軸部より太いヘッド部とを有することを特徴とする請求項５のランプ用口金。
【請求項７】
前記ランプ用口金は、さらに、前記口金本体の側壁に設けられ、特定のランプソケット以外への前記電極端子の電気接続を防止するためのガード部を備えることを特徴とする請求項５又は６のランプ用口金。
【請求項８】
請求項１から７のいずれかのランプ用口金と、
前記電極端子を介して給電されて点灯する光源部と、
前記アース端子を介して接地される金属部と
を備えることを特徴とする片口金形ランプ。
【請求項９】
口金本体の側壁にスリットが設けられ、かつ、同一端面から電極端子とアース端子とが突出したランプ用口金が装着されるとともに、点灯装置が電気接続されるランプソケットであって、
前記ランプ用口金が装着された状態において前記電極端子に接触する電極接触部と、
前記ランプ用口金が装着された状態において前記アース端子に接触するアース接触部と、
前記ランプ用口金以外が装着されることを防止するために、前記スリットに対応する形状、かつ、前記点灯装置から供給される電流の上限値と電圧の下限値との少なくともいずれかに応じて定められた形状を有する凸部と
を備え、
前記電極接触部は、前記ランプ用口金が装着されていない状態において前記アース接触部より前記ランプ用口金の装着方向の奥側に位置することを特徴とするランプソケット。
【請求項１０】
口金本体の側壁に突起片が設けられ、かつ、同一端面から電極端子とアース端子とが突出したランプ用口金が装着されるとともに、点灯装置が電気接続されるランプソケットであって、
前記ランプ用口金が装着された状態において前記電極端子に接触する電極接触部と、
前記ランプ用口金が装着された状態において前記アース端子に接触するアース接触部と、
前記ランプ用口金以外が装着されることを防止するために、前記突起片に対応する形状、かつ、前記点灯装置から供給される電流の上限値と電圧の下限値との少なくともいずれかに応じて定められた形状を有する凹部と
を備え、
前記電極接触部は、前記ランプ用口金が装着されていない状態において前記アース接触部より前記ランプ用口金の装着方向の奥側に位置することを特徴とするランプソケット。
【請求項１１】
口金本体の側壁にスリットが設けられ、かつ、同一端面から電極端子とアース端子とが突出したランプ用口金が装着されるとともに、点灯装置が電気接続されるランプソケットであって、
前記ランプ用口金が装着された場合に前記電極端子に接触する電極接触部と、
前記ランプ用口金が装着された場合に前記電極接触部が前記電極端子に接触するより先に前記アース端子に接触するアース接触部と、
前記ランプ用口金以外が装着されることを防止するために、前記スリットに対応する形状、かつ、前記点灯装置から供給される電流の上限値と電圧の下限値との少なくともいずれかに応じて定められた形状を有する凸部と
を備えることを特徴とするランプソケット。
【請求項１２】
口金本体の側壁に突起片が設けられ、かつ、同一端面から電極端子とアース端子とが突出したランプ用口金が装着されるとともに、点灯装置が電気接続されるランプソケットであって、
前記ランプ用口金が装着された場合に前記電極端子に接触する電極接触部と、
前記ランプ用口金が装着された場合に前記電極接触部が前記電極端子に接触するより先に前記アース端子に接触するアース接触部と、
前記ランプ用口金以外が装着されることを防止するために、前記突起片に対応する形状、かつ、前記点灯装置から供給される電流の上限値と電圧の下限値との少なくともいずれかに応じて定められた形状を有する凹部と
を備えることを特徴とするランプソケット。
【請求項１３】
請求項８の片口金形ランプと、
請求項９から１２のいずれかのランプソケットと
を備えることを特徴とする照明装置。
【発明の詳細な説明】
【技術分野】
【０００１】
本発明は、ランプ用口金及び片口金形ランプ及びランプソケット及び照明装置に関するものである。
【背景技術】
【０００２】
ランプソケットにバネ性のアース接続部材を備えて、ＬＥＤランプの金属製の放熱フィンに直接接触させる技術がある（例えば、特許文献１参照）。
【０００３】
また、ＦＤＬランプ用フォルダーに使用できるＬＥＤランプソケットに関する技術がある（例えば、特許文献２参照）。
【先行技術文献】
【特許文献】
【０００４】
【特許文献１】特開２０１０−１７０９０３号公報
【特許文献２】実用新案登録第３１６０８５８号公報
【発明の概要】
【発明が解決しようとする課題】
【０００５】
従来の技術では、使用するランプが片口金形ランプである場合、ランプの放熱フィンにアース接続部材を直接接触させるためには、放熱フィンが一端側から他端側へ向かって徐々に拡径された形状でなければならないという課題があった。
【０００６】
片口金形ランプの口金からアース端子と電極端子とを同一方向に突出させ、ランプソケットの対応する位置にアース接触片と電極接触片とを設ければ、上記のような形状の制限はなくなる。しかしながら、この場合、アース端子がアース接触片に接触する前に電極端子が電極接触片に接触するおそれがあり、感電等の危険性が生じる。
【０００７】
本発明は、例えば、口金のアース端子をランプソケットのアース接触片に接触させた状態で、口金の電極端子をランプソケットの電極接触片へ接触させる、あるいは、その接触を解除させることを目的とする。
【課題を解決するための手段】
【０００８】
本発明の一の態様に係るランプ用口金は、
口金本体と、
前記口金本体の一端面から突出する電極端子と、
前記口金本体の前記電極端子と同一端面から前記電極端子より長く突出するアース端子とを備える。
【発明の効果】
【０００９】
本発明の一の態様によれば、口金のアース端子が口金の電極端子より長く突出しているため、アース端子をランプソケットのアース接触片に接触させた状態で、電極端子をランプソケットの電極接触片へ接触させる、あるいは、その接触を解除させることが可能となる。
【図面の簡単な説明】
【００１０】
【図１】実施の形態１に係る照明装置の下面図、側面図及びＡ−Ａ断面図。
【図２】実施の形態１に係る片口金形ランプの６面図、Ｂ−Ｂ断面図及びＣ−Ｃ断面図。
【図３】（ａ）実施の形態１に係るランプソケットの下面図及び側面図、（ｂ）実施の形態１に係るランプソケットのソケット本体に片口金形ランプの口金部が装着された状態におけるランプソケットと片口金形ランプとの下面図及び側面図。
【図４】（ａ）実施の形態１に係るランプソケットに片口金形ランプが挿入される前の状態における照明装置のＡ−Ａ断面図、（ｂ）実施の形態１に係るランプソケットに片口金形ランプが挿入された後、片口金形ランプが器具本体に収納される前の状態における照明装置のＡ−Ａ断面図。
【図５】実施の形態１の変形例に係る片口金形ランプの３面図。
【図６】実施の形態１の別の変形例に係る片口金形ランプの３面図。
【図７】（ａ）実施の形態２に係る片口金形ランプの下面図、（ｂ）実施の形態２に係るランプソケットの下面図及び側面図、（ｃ）実施の形態２に係るランプソケットのソケット本体に片口金形ランプの口金部が装着された状態におけるランプソケットと片口金形ランプとの下面図及び側面図。
【図８】（ａ）実施の形態３に係る照明装置の側面図、Ｅ−Ｅ断面図及び下面図、（ｂ）実施の形態３に係る照明器具（片口金形ランプを取り外した状態）の下面図。
【図９】実施の形態３に係る片口金形ランプの３面図。
【発明を実施するための形態】
【００１１】
以下、本発明の実施の形態について、図を用いて説明する。
【００１２】
実施の形態１．
図１は、本実施の形態に係る照明装置１０の下面図、側面図及びＡ−Ａ断面図である。
【００１３】
照明装置１０は、ランプソケット２０を備える照明器具３０と、ランプソケット２０に着脱自在に取り付けられる片口金形ランプ４０とからなる。ランプソケット２０と片口金形ランプ４０との組み合わせを片口金形ランプシステムという。
【００１４】
照明器具３０は、ランプソケット２０のほか、器具本体３１と、端子台３２と、点灯装置３３と、ランプソケット取付台座３４と、反射板取付台座３５と、反射板３６と、ランプホルダ３７とを備える。
【００１５】
器具本体３１の上部（図１のＡ−Ａ断面図において、反射板３６より上側の部分）には、端子台３２と点灯装置３３とランプソケット取付台座３４と反射板取付台座３５とが収納される。これらの下には、器具本体３１の上部と下部とを隔てるように反射板３６が取り付けられる。器具本体３１の下部（図１のＡ−Ａ断面図において、反射板３６より下側の部分）には、ランプソケット２０とランプホルダ３７とが収納されるとともに、片口金形ランプ４０を収納するための空間が形成される。
【００１６】
端子台３２は、外部の商用電源に接続される。点灯装置３３は、一定の電流を供給する定電流回路を内蔵し、端子台３２と電線３８ａで接続される。ランプソケット２０は、点灯装置３３と電線３８ｂを介して電気的に接続される。ランプソケット２０に片口金形ランプ４０が取り付けられた場合、商用電源からの電力が端子台３２を介して点灯装置３３に供給されることにより、点灯装置３３の定電流回路が駆動され、この定電流回路からの電流がランプソケット２０を介して片口金形ランプ４０に供給される。これによって片口金形ランプ４０が点灯する。
【００１７】
ランプソケット２０は、ランプソケット取付台座３４の下面に取り付けられて器具本体３１に固定される。反射板３６は、一端側がランプソケット取付台座３４とランプソケット２０との間に挟まれ、他端側が取付ネジ３９で反射板取付台座３５の下面に取り付けられて器具本体３１に固定される。ランプホルダ３７は、反射板３６に取り付けられる。ランプソケット２０に片口金形ランプ４０が取り付けられた場合、ランプホルダ３７によって片口金形ランプ４０が保持される。
【００１８】
ランプソケット２０は、ソケット本体２１とランプ収納部２２とを備える。
【００１９】
ソケット本体２１は、断面形状がＬ字状をなしている。ランプ収納部２２は、ソケット本体２１に回動可能に取り付けられる。ランプソケット２０に片口金形ランプ４０が装着される場合、ランプ収納部２２に片口金形ランプ４０が挿入されて収納される。
【００２０】
図２は、片口金形ランプ４０の６面図、Ｂ−Ｂ断面図及びＣ−Ｃ断面図である。
【００２１】
片口金形ランプ４０には、口金部５０（ランプ用口金）が取り付けられている。片口金形ランプ４０は、口金部５０のほか、光源部４１と、放熱部４２（金属部）とを備える。
【００２２】
口金部５０は、ランプソケット２０に挿入されて着脱可能に装着される。口金部５０は、口金本体５１と、２つの係止片５２と、２つの電極端子５３（電極部）と、２つのアース端子５４（アース部）と、上限電流識別部５５（ガード部）と、下限電圧識別部５６（ガード部）とを備える。
【００２３】
口金本体５１は、一端面５７（外形の一面）が小判形の中空状をなしている。口金本体５１の側壁は、互いに略平行な２つの平面部と、平面部同士をつなぐ２つの曲面部とからなる。少なくとも１つの平面部には、上限電流識別部５５と下限電圧識別部５６とが並べて設けられている。それぞれの曲面部からは、係止片５２が１つずつ外方に突出している。
【００２４】
上限電流識別部５５は、光源部４１に入力される定格電流の上限値に応じて定められた形状（長さや幅）を有するスリットである。例えば、上限電流識別部５５の長さが長いほど、電流の上限値が高いことを示す。あるいは、例えば、上限電流識別部５５の幅が広いほど、電流の上限値が高いことを示す。上限電流識別部５５の形状は、特定のランプソケット２０に設けられた凸部（図示していない）のみに対応する形状になっている。この凸部の形状も、点灯装置３３の定電流回路から供給される電流の上限値に応じて定められている。このように、上限電流識別部５５は、特定のランプソケット２０の凸部以外は嵌められない形状になっているため、特定のランプソケット２０以外への口金部５０の装着を防止することができる。そのため、光源部４１に過大な電流が流れるのを防止でき、光源部４１の寿命が短くなったり、光源部４１が破損したりするのを防止できる。
【００２５】
下限電圧識別部５６は、光源部４１に入力される定格電圧の下限値に応じて定められた形状（長さや幅）を有するスリットである。例えば、下限電圧識別部５６の長さが長いほど、電圧の下限値が低いことを示す。あるいは、例えば、下限電圧識別部５６の幅が広いほど、電圧の下限値が低いことを示す。下限電圧識別部５６の形状は、特定のランプソケット２０に設けられた凸部（図示していない）のみに対応する形状になっている。この凸部の形状も、点灯装置３３の定電流回路から供給される電圧の下限値に応じて定められている。このように、下限電圧識別部５６は、特定のランプソケット２０の凸部以外は嵌められない形状になっているため、特定のランプソケット２０以外への口金部５０の装着を防止することができる。そのため、光源部４１に必要な電圧が足りずに光源部４１が点灯しないという事態が発生するのを防止でき、使用者が光源部４１又は点灯装置３３が故障したと誤認するのを防止できる。
【００２６】
なお、上限電流識別部５５や下限電圧識別部５６の形状を定める代わりに（あるいは、それとともに）、上限電流識別部５５や下限電圧識別部５６の位置を上記同様に定めてもよい。この場合、上限電流識別部５５は、光源部４１に入力される定格電流の上限値に応じて定められた位置に配置される。下限電圧識別部５６は、光源部４１に入力される定格電圧の下限値に応じて定められた位置に配置される。上限電流識別部５５や下限電圧識別部５６の位置は、特定のランプソケット２０に設けられた凸部の位置に対応する位置になっている。この凸部の位置も、点灯装置３３の定電流回路から供給される電流の上限値や電圧の下限値に応じて定められている。このように、上限電流識別部５５や下限電圧識別部５６が、特定のランプソケット２０の凸部以外は嵌められない位置に配置されるようにすることでも、特定のランプソケット２０以外への口金部５０の装着を防止することができる。
【００２７】
また、上限電流識別部５５や下限電圧識別部５６は、スリットではなく、突起片であってもよい。この場合、突起片の形状や位置は、特定のランプソケット２０に設けられた凹部の形状や位置に対応するものとなる。このような突起片を口金本体５１の側壁に設けることでも、特定のランプソケット２０以外への口金部５０の装着を防止することができる。
【００２８】
本実施の形態では、上限電流識別部５５と下限電圧識別部５６とが、口金本体５１の下面のみに設けられている。このため、ランプソケット２０に口金部５０が挿入される際に、口金部５０の上下逆挿しを防止することができる。なお、上限電流識別部５５と下限電圧識別部５６とが口金本体５１の下面以外（例えば上面のみ）に設けられていてもよい。
【００２９】
係止片５２は、ランプソケット２０に口金部５０が装着された場合、ランプソケット２０に設けられた係合溝（図示していない）に係合する。これにより、ランプソケット２０に対して片口金形ランプ４０の位置決めができる。
【００３０】
電極端子５３は、口金本体５１の一端面５７（ランプソケット２０側）から突出するピンであり、ランプソケット２０に口金部５０が装着された場合、ランプソケット２０に電気的に接触（接続）する。アース端子５４は、口金本体５１の電極端子５３と同一端面５７から突出するピンであり、ランプソケット２０に口金部５０が装着された場合、電極端子５３と同様に、ランプソケット２０に電気的に接触（接続）する。
【００３１】
本実施の形態では、アース端子５４が、口金本体５１の一端面５７から電極端子５３より長く突出している。そのため、ランプソケット２０に口金部５０が装着された場合に、アース端子５４が、電極端子５３より先にランプソケット２０に電気的に接触する。また、ランプソケット２０から口金部５０が取り外されるときに、アース端子５４が、電極端子５３より後にランプソケット２０と非接触状態になる。よって、感電等の危険性を回避できる。なお、アース端子５４が電極端子５３より長く突出しているのであれば、アース端子５４の数は１つでも構わない。また、アース端子５４が電極端子５３より長く突出しているのであれば、アース端子５４が２つの電極端子５３の間に配置されても構わない。
【００３２】
また、本実施の形態では、電極端子５３が、２つのアース端子５４の間に配置されている。そのため、ランプソケット２０に口金部５０が挿入された場合に、たとえ口金部５０が斜めに挿入されたとしても、少なくとも一方のアース端子５４が、電極端子５３より先にランプソケット２０に電気的に接触する。また、ランプソケット２０から口金部５０が取り外されるときに、たとえ口金部５０が斜めに抜かれたとしても、少なくとも一方のアース端子５４が、電極端子５３より後にランプソケット２０と非接触状態になる。よって、感電等の危険性をより確実に回避できる。なお、電極端子５３が２つのアース端子５４の間に配置されているのであれば、電極端子５３とアース端子５４との全てが口金本体５１の一端面５７から略同じ長さで突出していても構わない。
【００３３】
また、本実施の形態では、電極端子５３とアース端子５４とが、略一直線上に配置されている。そのため、ランプソケット２０に口金部５０が挿入された場合に、口金部５０の挿入方向が制限され、より確実に、アース端子５４が、電極端子５３より先にランプソケット２０に電気的に接触する。
【００３４】
また、本実施の形態では、電極端子５３が、先端まで略一定の太さをもっているのに対し、アース端子５４が、電極端子５３と略同じ太さの軸部と、軸部の先端に設けられ、軸部より太いヘッド部とを有している。そのため、ランプソケット２０に口金部５０が挿入された場合に、たとえ口金部５０が斜めに挿入されたとしても、アース端子５４が、電極端子５３より先にランプソケット２０に電気的に接触する。
【００３５】
光源部４１は、口金本体５１の電極端子５３及びアース端子５４と逆の端面（ランプソケット２０の反対側）から突出する。光源部４１は、４４個（１１個×４列）のＬＥＤ４３と、基板４４と、レンズ部４５とを備える。
【００３６】
ＬＥＤ４３は、１列ごとに略直線状に並べられて基板４４の表面に実装され、例えば白色光を照射する。基板４４は、例えば放熱性の高いアルミニウム等の金属基板であり、長方形状をなしている。基板４４には、コネクタ４４ａが設けられており、このコネクタ４４ａと電線４４ｂで接続された電極端子５３を介して電力の供給を受け、ＬＥＤ４３を点灯させる。レンズ部４５は、透光性部材からなり、基板４４の発光面側（表面側）を覆うように配置される。レンズ部４５は、ＬＥＤ４３の各列に対応するように、断面がカマボコ状のレンズ体を４つ（４列）組み合わせて構成され、各レンズ体によって、対応するＬＥＤ４３から照射される光の配光制御をする。
【００３７】
放熱部４２は、基板４４の発光面と逆側（裏面側）に装着される金属製の放熱フィンからなる。放熱部４２は、ＬＥＤ４３が点灯時に発する熱を伝導及び拡散させて外部に放射する。
【００３８】
図３（ａ）は、ランプソケット２０の下面図及び側面図である。図３（ｂ）は、ランプソケット２０のソケット本体２１に片口金形ランプ４０の口金部５０が装着された状態におけるランプソケット２０と片口金形ランプ４０との下面図及び側面図である。なお、図中、ランプソケット２０のランプ収納部２２は省略している。
【００３９】
ランプソケット２０は、ソケット本体２１とランプ収納部２２とのほか、２つの電極接触片２３（電極接触部）と、２つのアース接触片２４（アース接触部）とを備える。
【００４０】
電極接触片２３は、ソケット本体２１に収納されており、ソケット本体２１に口金部５０が装着された状態において、それぞれ対応する口金部５０の電極端子５３に接触する。アース接触片２４は、ソケット本体２１に収納されており、ソケット本体２１に口金部５０が装着された状態において、それぞれ対応する口金部５０のアース端子５４に接触する。
【００４１】
本実施の形態では、電極接触片２３が、ソケット本体２１に口金部５０が装着されていない状態において、アース接触片２４と口金部５０の装着方向Ｄの略同じ箇所（手前側でも奥側でもない）に位置する。しかし、口金部５０のアース端子５４が口金部５０の電極端子５３より長く突出しているため、ソケット本体２１に口金部５０が装着された場合に、電極接触片２３が電極端子５３に接触するより先にアース接触片２４がアース端子５４に接触する。よって、感電等の危険性を回避できる。なお、前述したように、アース端子５４の数は１つでもよく、この場合、アース接触片２４の数も１つでよい。
【００４２】
以下では、片口金形ランプ４０を照明器具３０に取り付ける工程について説明する。
【００４３】
図４（ａ）は、ランプソケット２０に片口金形ランプ４０が挿入される前の状態における照明装置１０のＡ−Ａ断面図である。図４（ｂ）は、ランプソケット２０に片口金形ランプ４０が挿入された後、片口金形ランプ４０が器具本体３１に収納される前の状態における照明装置１０のＡ−Ａ断面図である。片口金形ランプ４０が器具本体３１に収納された状態については、図１の照明装置１０のＡ−Ａ断面図に示した通りである。
【００４４】
まず、図４（ａ）に示すように、ランプソケット２０のランプ収納部２２を斜め下方向に回動させる。
【００４５】
次に、図４（ｂ）に示すように、ランプ収納部２２に片口金形ランプ４０の口金部５０を挿入する。このとき、口金部５０の電極端子５３、アース端子５４は、ともにランプソケット２０の電極接触片２３、アース接触片２４に接触していない。
【００４６】
次に、ランプ収納部２２を片口金形ランプ４０とともに元の方向に回動させると、まず、アース端子５４がアース接触片２４に接触し、次いで、図３（ｂ）に示したように、電極端子５３が電極接触片２３に接触する。
【００４７】
さらに、ランプ収納部２２を片口金形ランプ４０とともに回動させると、図１に示したように、片口金形ランプ４０がランプホルダ３７に把持され、片口金形ランプ４０がランプソケット２０とランプホルダ３７によって固定される。
【００４８】
このように、本実施の形態では、片口金形ランプ４０をランプソケット２０に装着する際、電極端子５３が電極接触片２３に接触する前に、アース端子５４がアース接触片２４に接触するので、アース端子５４を介して金属製の放熱部４２が接地された状態になってから、電極端子５３を介して点灯装置３３から光源部４１に給電され、光源部４１が点灯する。したがって、照明装置１０の使用者が放熱部４２等の金属部分に触れても感電するおそれがない。
【００４９】
なお、本実施の形態では、ランプソケット２０に片口金形ランプ４０が挿入された後、片口金形ランプ４０が器具本体３１に収納される前の状態、即ち、図４（ｂ）に示した状態では、アース端子５４がアース接触片２４に接触しないが、電極端子５３が電極接触片２３に接触していなければ、アース端子５４がアース接触片２４に接触していても構わない。
【００５０】
また、本実施の形態では、ＬＥＤ４３が、１列ごとに略直線状に並べられて基板４４の表面に４４個（１１個×４列）実装されているが、ＬＥＤ４３の数や配置はこれに限るものではない。また、ＬＥＤ４３の代わりに、有機ＥＬ等、他の種類の光源を用いても構わない。
【００５１】
また、本実施の形態では、レンズ部４５が、ＬＥＤ４３の各列に対応するように、４つのレンズ体を組み合わせて構成されているが、１つのレンズ体で構成されていてもよく、また、ＬＥＤ４３の各列に直交するように複数のレンズ体を組み合わせて構成されていてもよい。つまり、ＬＥＤ４３が発する光の配光に応じてレンズ部４５の構成を適宜選択すればよい。
【００５２】
また、本実施の形態では、光源部４１が、レンズ部４５を備えるが、レンズ部４５の代わりに（又は、レンズ部４５とともに）、ＬＥＤ４３の光を拡散させる透光カバー（拡散カバー）や、ＬＥＤ４３の光をほとんど拡散させずに透過させる透明カバー等を備えていてもよい。
【００５３】
また、本実施の形態では、基板４４が、アルミニウム等の金属基板であるが、ＬＥＤ４３が点灯時に発する熱が少ない場合等、ＬＥＤ４３の放熱が十分可能な場合は、金属基板以外の基板でもよく、例えばガラスエポキシ基板であってもよい。
【００５４】
また、本実施の形態では、アース端子５４を２本設けて、そのアース端子５４の間に電極端子５３を２本設けているが、前述したように、２本の電極端子５３の間に、電極端子５３よりも長いアース端子を１本だけ設けてもよい。アース端子５４を電極端子５３よりも長くして、電極端子５３がランプソケット２０の電極接触片２３に接触するよりも先に、アース端子５４がランプソケット２０のアース接触片２４に接触するようにすれば、アース端子５４の本数は限定されず、また、電極端子５３とアース端子５４との配置関係も限定されない。
【００５５】
また、本実施の形態では、上限電流識別部５５や下限電圧識別部５６が、特定のランプソケット２０の凸部以外には嵌められない形状になっているため、特定のランプソケット２０以外への口金部５０の装着を防止することができるが、少なくとも特定のランプソケット２０の電極接触片２３以外への電極端子５３の接触（特定のランプソケット２０以外への電極端子５３の電気的接続）を防止する機構が備わっていればよい。
【００５６】
図５は、本実施の形態の変形例に係る片口金形ランプ４０の３面図である。
【００５７】
本実施の形態では、片口金形ランプ４０（特に、光源部４１）の外形を従来のコンパクト蛍光ランプのＦＭＬ形と略同等の形状としているが、図５に示すように、片口金形ランプ４０の外形を従来のコンパクト蛍光ランプのＦＰＬ形又はＦＨＰ形と略同等の形状としてもよい。また、図示していないが、片口金形ランプ４０の外形をＦＤＬ形やその他の従来の片口金形ランプと略同等の形状としてもよい。
【００５８】
図６は、本実施の形態の別の変形例に係る片口金形ランプ４０の３面図である。
【００５９】
前述した通りであるが、図６に示すように、アース端子５４が電極端子５３より長く突出しているのであれば、１つのアース端子５４が２つの電極端子５３の間に配置されてもよい。なお、図６に示した変形例では、図５に示した変形例と同様に、片口金形ランプ４０の外形を従来のコンパクト蛍光ランプのＦＰＬ形又はＦＨＰ形と略同等の形状としているが、片口金形ランプ４０の外形をＦＤＬ形やその他の従来の片口金形ランプと略同等の形状としてもよい。
【００６０】
実施の形態２．
本実施の形態について、主に実施の形態１との差異を説明する。
【００６１】
図７（ａ）は、本実施の形態に係る片口金形ランプ４０の下面図である。
【００６２】
実施の形態１では、アース端子５４が、口金本体５１の一端面５７から電極端子５３より長く突出しているが、本実施の形態では、電極端子５３とアース端子５４とが、口金本体５１の一端面５７から略同じ長さで突出している。
【００６３】
また、実施の形態１では、アース端子５４が、軸部の先端に軸部より太いヘッド部を有しているが、本実施の形態では、アース端子５４が、先端まで略一定の太さをもっており、電極端子５３と略同じ形状になっている。
【００６４】
図７（ｂ）は、本実施の形態に係るランプソケット２０の下面図及び側面図である。図７（ｃ）は、ランプソケット２０のソケット本体２１に片口金形ランプ４０の口金部５０が装着された状態におけるランプソケット２０と片口金形ランプ４０との下面図及び側面図である。なお、図中、ランプソケット２０のランプ収納部２２は省略している。
【００６５】
実施の形態１では、電極接触片２３が、ソケット本体２１に口金部５０が装着されていない状態において、アース接触片２４と口金部５０の装着方向Ｄの略同じ箇所に位置するが、本実施の形態では、電極接触片２３が、ソケット本体２１に口金部５０が装着されていない状態において、アース接触片２４と口金部５０の装着方向Ｄの奥側に位置する。つまり、アース接触片２４のアース端子５４に接触する部分が、電極接触片２３の電極端子５３に接触する部分よりもソケット本体２１の外側寄りに配置される。そのため、片口金形ランプ４０をランプソケット２０に装着する際、アース端子５４がアース接触片２４に接触した後、電極端子５３が電極接触片２３に接触する。また、片口金形ランプ４０をランプソケット２０から外す際、電極端子５３が電極接触片２３から外れた後、アース端子５４がアース接触片２４から外れる。
【００６６】
したがって、電極端子５３が電極接触片２３に接触して、点灯装置３３から光源部４１に電力が供給されるとき、確実にアース端子５４がアース接触片２４に接触するので、照明装置１０の使用者が手に触れるおそれのある放熱部４２等の金属部分を接地して、感電を防止することができる。
【００６７】
実施の形態３．
本実施の形態について、主に実施の形態１との差異を説明する。
【００６８】
図８（ａ）は、本実施の形態に係る照明装置１０の側面図、Ｅ−Ｅ断面図及び下面図である。図８（ｂ）は、照明器具３０（片口金形ランプ４０を取り外した状態）の下面図である。
【００６９】
本実施の形態において、照明器具３０は、ランプソケット２０のほか、器具本体３１と、端子台３２と、点灯装置３３と、反射板３６とを備える。
【００７０】
器具本体３１には、ランプソケット２０と端子台３２と点灯装置３３とが取り付けられる。器具本体３１の一部は、反射板固定部３１ａを形成しており、この反射板固定部３１ａには、略円錐形状をなし中空状の反射板３６が取り付けられる。反射板３６の下端には、つば部３６ａが設けられている。図示していないが、つば部３６ａには、天井の埋込穴に係合して、照明器具３０全体を天井材に固定する取付バネ（取付具）が具備される。反射板３６の内側には、片口金形ランプ４０を収納するための空間が形成される。
【００７１】
ランプソケット２０は、ソケット本体２１と、２つの係止片挿入穴２５と、２つの係止部２６と、２つの電極端子挿入穴２７と、２つのアース端子挿入穴２８とを備える。
【００７２】
ソケット本体２１は、片口金形ランプ４０の口金部５０が挿入できるように、下面が口金部５０の形状に合わせて開口されている。係止片挿入穴２５は、ソケット本体２１に口金部５０が挿入される際に、後述する口金部５０の係止片５２が挿入される穴である。係止部２６は、ソケット本体２１に口金部５０が装着された状態において、係止片５２と係合して片口金形ランプ４０の落下を防止する。電極端子挿入穴２７は、ソケット本体２１に口金部５０が挿入される際に、後述する口金部５０の電極端子５３が挿入される穴である。アース端子挿入穴２８は、ソケット本体２１に口金部５０が挿入される際に、後述する口金部５０のアース端子５４が挿入される穴である。
【００７３】
図９は、片口金形ランプ４０の３面図である。
【００７４】
片口金形ランプ４０は、口金部５０のほか、光源部４１と、放熱部４２（金属部）とを備える。
【００７５】
口金部５０は、円筒形状のベース部５８を有する口金本体５１と、２つの係止片５２と、２つの電極端子５３（電極部）と、２つのアース端子５４（アース部）とを備える。
【００７６】
本実施の形態では、実施の形態１と同様に、アース端子５４が、口金本体５１の一端面５７から電極端子５３より長く突出している。また、電極端子５３が、２つのアース端子５４の間に配置されている。また、電極端子５３とアース端子５４とが、略一直線上に配置されている。また、電極端子５３が、先端まで略一定の太さをもっているのに対し、アース端子５４が、電極端子５３と略同じ太さの軸部と、軸部の先端に設けられ、軸部より太いヘッド部とを有している。
【００７７】
光源部４１は、レンズ部４５のほか、図示していないが、放熱部４２やレンズ部４５によって覆われたＬＥＤと基板とを備える。
【００７８】
レンズ部４５は、実施の形態１と同様に、透光性部材からなり、基板の発光面側（表面側）を覆うように配置される。レンズ部４５は、例えば、略円筒状のレンズ体を４つ組み合わせて構成され、各レンズ体によって、ＬＥＤから照射される光の配光制御をする。
【００７９】
放熱部４２は、口金本体５１の電極端子５３及びアース端子５４と逆の端面（ランプソケット２０の反対側）、即ち、ベース部５８の底面から突出する金属製の放熱フィンである。放熱部４２は、ＬＥＤと熱的に接続されている。
【００８０】
以下では、片口金形ランプ４０を照明器具３０に取り付ける工程について説明する。
【００８１】
まず、口金部５０をランプソケット２０に挿入する。このとき、口金部５０の係止片５２をランプソケット２０の係止片挿入穴２５に挿入する。また、口金部５０から突出している電極端子５３をランプソケット２０の電極端子挿入穴２７に挿入する。また、口金部５０から突出しているアース端子５４をランプソケット２０のアース端子挿入穴２８に挿入する。このとき、アース端子５４が電極端子５３よりも長いので、アース端子５４がアース接触片２４に接触してから電極端子５３が電極接触片２３に接触する。
【００８２】
次に、片口金形ランプ４０を下面視で反時計回りに回転させると、係止片５２がランプソケット２０の係止部２６に係止されて、片口金形ランプ４０がランプソケット２０に固着される。
【００８３】
片口金形ランプ４０をランプソケット２０から外すときは、片口金形ランプ４０を下面視で時計回りに回転させて、係止部２６における係止片５２の係止状態を解除する。
【００８４】
次に、片口金形ランプ４０を垂直方向へ外すと、アース端子５４が電極端子５３よりも長いので、まず、電極端子５３の電極接触片２３への接触状態が解除された後、アース端子５４のアース接触片２４への接触状態が解除される。
【００８５】
このように、本実施の形態では、実施の形態１と同様に、アース端子５４を電極端子５３よりも長くしているので、片口金形ランプ４０をランプソケット２０に装着する際、及び、片口金形ランプ４０をランプソケット２０から取り外す際、確実にアース端子５４をアース接触片２４に接触させた状態で、電極端子５３を電極接触片２３へ接触させ、あるいは、その接触状態を解除することができる。
【００８６】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００８７】
１０  照明装置、２０  ランプソケット、２１  ソケット本体、２２  ランプ収納部、２３  電極接触片、２４  アース接触片、２５  係止片挿入穴、２６  係止部、２７  電極端子挿入穴、２８  アース端子挿入穴、３０  照明器具、３１  器具本体、３１ａ  反射板固定部、３２  端子台、３３  点灯装置、３４  ランプソケット取付台座、３５  反射板取付台座、３６  反射板、３６ａ  つば部、３７  ランプホルダ、３８ａ，ｂ  電線、３９  取付ネジ、４０  片口金形ランプ、４１  光源部、４２  放熱部、４３  ＬＥＤ、４４  基板、４４ａ  コネクタ、４４ｂ  電線、４５  レンズ部、５０  口金部、５１  口金本体、５２  係止片、５３  電極端子、５４  アース端子、５５  上限電流識別部、５６  下限電圧識別部、５７  一端面、５８  ベース部。
【図１】
0005623297.tif 000002
【図２】
0005623297.tif 000003
【図３】
0005623297.tif 000004
【図４】
0005623297.tif 000005
【図５】
0005623297.tif 000006
【図６】
0005623297.tif 000007
【図７】
0005623297.tif 000008
【図８】
0005623297.tif 000009
【図９】
0005623297.tif 000010